(57)【要約】【課題】接続部材の本体部材に対する接続状態を確実に維持することができ、液漏れを確実に防止することができる接続具を提供する。【解決手段】液体を流通させ得る本体部材１と、本体部材１に接続可能とされるとともに、液体を流通させるためのホースを接続し得る接続部１ａが形成された接続部材Ａ（継ぎ手部材２及び螺合部材３）と、本体部材１と接続部材Ａとの間に配設されてシール可能なシール部材４とを具備した接続具において、本体部材１と接続部材Ａとが接続された状態で係止して接続状態をロックし得るロック部（係止爪６ａ及び被係止部６ｂ）を具備したものである。【選択図】図３
2015054092.tif 000002
【特許請求の範囲】
【請求項１】
液体を流通させ得る本体部材と、
前記本体部材に接続可能とされるとともに、液体を流通させるためのホースを接続し得る接続部が形成された接続部材と、
前記本体部材と接続部材との間に配設されてシール可能なシール部材と、
を具備した接続具において、
前記本体部材と接続部材とが接続された状態で係止して接続状態をロックし得るロック部を具備したことを特徴とする接続具。
【請求項２】
前記本体部材は、液体を流通させるためのホースを接続し得る接続部が形成されるとともに、液体中の異物を捕捉し得るフィルタ部材が内部に配設されたことを特徴とする請求項１記載の接続具。
【請求項３】
前記接続部材は、前記接続部が形成された継ぎ手部材と、前記本体部材に対して継ぎ手部材を接続可能な螺合部材とを有して構成されるとともに、前記本体部材及び螺合部材には、互いに噛み合って螺合可能なネジ部がそれぞれ形成され、当該螺合部材が前記継ぎ手部材に取り付けられつつ当該本体部材と螺合することで、前記シール部材を介在させて前記本体部材と接続部材とが接続可能とされ、且つ、前記ロック部は、前記本体部材及び螺合部材に形成されたことを特徴とする請求項１又は請求項２に記載の接続具。
【請求項４】
前記ロック部は、前記本体部材及び螺合部材にそれぞれ形成された係止爪及び被係止部で構成されるとともに、前記本体部材に前記接続部材が螺合された状態で当該係止爪が被係止部に係止し、当該本体部材に対して螺合部材が緩む方向の回転を規制し得ることを特徴とする請求項３記載の接続具。
【請求項５】
前記本体部材の開口端部に前記接続部材を取り付けつつ所定方向に回転させることで抜け止めが行われて当該本体部材と接続部材との接続が行われるものとされ、且つ、前記ロック部は、前記本体部材及び接続部材にそれぞれ形成された係止爪及び被係止部で構成されるとともに、前記接続部材を本体部材に対して所定方向に回転させて接続させる過程で、当該被係止部に係止爪が係止して当該本体部材と接続部材との接続状態のロックが行われることを特徴とする請求項１又は請求項２に記載の接続具。
【請求項６】
前記本体部材の所定部位には凸部が形成されるとともに、前記接続部材の所定部位には当該本体部材に対して回転することで前記凸部を嵌合し得る嵌合溝が形成され、当該嵌合溝に凸部が嵌合して抜け止めが行われることによって前記本体部材と接続部材とが接続されるよう構成され、且つ、前記嵌合溝は、前記接続部材の周方向に延びて形成されたアーム部の縁面に形成されるとともに、当該アーム部に前記係止爪が形成されたことを特徴とする請求項５記載の接続具。
【発明の詳細な説明】
【技術分野】
【０００１】
本発明は、液体を流通させ得る本体部材と、液体を流通させるためのホースが接続可能とされた接続部材とを備える接続具に関するものである。
【背景技術】
【０００２】
血液浄化治療時に患者の血液を体外循環させるための血液回路は、通常、可撓性チューブ（ホース）から成る動脈側血液回路及び静脈側血液回路にて構成されており、当該動脈側血液回路及び静脈側血液回路のそれぞれの基端には、体外循環する血液を浄化するための血液浄化器（ダイアライザ等）が接続されるとともに、それぞれの先端には、患者に穿刺可能な動脈側穿刺針及び静脈側穿刺針が取り付けられている。
【０００３】
特に、血液透析治療を行う血液透析装置においては、血液浄化器（ダイアライザ）に透析液を導入するための透析液導入ライン、血液浄化器から排出された透析液を導出するための透析液導出ラインがそれぞれ接続されるとともに、所定濃度に調製された透析液を当該血液透析装置に供給するための透析液供給ラインが接続される透析装置本体（例えば監視装置）を具備している。そして、例えば透析液導入ライン及び透析液供給ラインの透析装置本体との接続部近傍には、透析液中の異物を捕捉し得るフィルタを具備した接続具が形成されている。
【０００４】
かかる従来の接続具は、透析液を流通させるためのホースを接続し得る接続部が形成されるとともに、透析液中の異物を捕捉し得るフィルタ部材が内部に配設された本体部材と、透析液を流通させるためのホースを接続し得る接続部が形成された継ぎ手部材と、本体部材と継ぎ手部材との間に配設されてシール可能なシール部材と、本体部材のネジ部と噛み合って螺合可能なネジ部が形成されるとともに、継ぎ手部材に取り付けられつつ当該本体部材と螺合することで、シール部材を介在させて本体部材と継ぎ手部材とを接続可能な螺合部材とを具備していた。なお、かかる先行技術は、文献公知発明に係るものでないため、記載すべき先行技術文献情報はない。
【発明の概要】
【発明が解決しようとする課題】
【０００５】
しかしながら、上記従来の接続具においては、ホースの透析装置本体に対する取り付け時やホースの取り回し時など、螺合部材が本体部材に対して外れる方向に力が作用してしまう虞があり、その場合、本体部材と継ぎ手部材との接続が緩んでしまうという不具合があった。また、長期間の使用により、例えば熱や振動等の影響によって本体部材と継ぎ手部材との接続が緩んでしまう虞もあった。しかして、本体部材と継ぎ手部材との接続が緩んでしまうと、シール部材によるシールが不良となり、液漏れが生じてしまうという問題があった。なお、かかる問題は、螺合部材を有するものに限らず、本体部材と、該本体部材に対して接続し得る接続部材を有し、内部に液体を流通させ得る接続具全般において、共通に生じるものである。
【０００６】
本発明は、このような事情に鑑みてなされたもので、接続部材の本体部材に対する接続状態を確実に維持することができ、液漏れを確実に防止することができる接続具を提供することにある。
【課題を解決するための手段】
【０００７】
請求項１記載の発明は、液体を流通させ得る本体部材と、前記本体部材に接続可能とされるとともに、液体を流通させるためのホースを接続し得る接続部が形成された接続部材と、前記本体部材と接続部材との間に配設されてシール可能なシール部材とを具備した接続具において、前記本体部材と接続部材とが接続された状態で係止して接続状態をロックし得るロック部を具備したことを特徴とする。
【０００８】
請求項２記載の発明は、請求項１記載の接続具において、前記本体部材は、液体を流通させるためのホースを接続し得る接続部が形成されるとともに、液体中の異物を捕捉し得るフィルタ部材が内部に配設されたことを特徴とする。
【０００９】
請求項３記載の発明は、請求項１又は請求項２記載の接続具において、前記接続部材は、前記接続部が形成された継ぎ手部材と、前記本体部材に対して継ぎ手部材を接続可能な螺合部材とを有して構成されるとともに、前記本体部材及び螺合部材には、互いに噛み合って螺合可能なネジ部がそれぞれ形成され、当該螺合部材が前記継ぎ手部材に取り付けられつつ当該本体部材と螺合することで、前記シール部材を介在させて前記本体部材と接続部材とが接続可能とされ、且つ、前記ロック部は、前記本体部材及び螺合部材に形成されたことを特徴とする。
【００１０】
請求項４記載の発明は、請求項３記載の接続具において、前記ロック部は、前記本体部材及び螺合部材にそれぞれ形成された係止爪及び被係止部で構成されるとともに、前記本体部材に前記接続部材が螺合された状態で当該係止爪が被係止部に係止し、当該本体部材に対して螺合部材が緩む方向の回転を規制し得ることを特徴とする。
【００１１】
請求項５記載の発明は、請求項１又は請求項２に記載の接続具において、前記本体部材の開口端部に前記接続部材を取り付けつつ所定方向に回転させることで抜け止めが行われて当該本体部材と接続部材との接続が行われるものとされ、且つ、前記ロック部は、前記本体部材及び接続部材にそれぞれ形成された係止爪及び被係止部で構成されるとともに、前記接続部材を本体部材に対して所定方向に回転させて接続させる過程で、当該被係止部に係止爪が係止して当該本体部材と接続部材との接続状態のロックが行われることを特徴とする。
【００１２】
請求項６記載の発明は、請求項５記載の接続具において、前記本体部材の所定部位には凸部が形成されるとともに、前記接続部材の所定部位には当該本体部材に対して回転することで前記凸部を嵌合し得る嵌合溝が形成され、当該嵌合溝に凸部が嵌合して抜け止めが図られることによって前記本体部材と接続部材とが接続されるよう構成され、且つ、前記嵌合溝は、前記接続部材の周方向に延びて形成されたアーム部の縁面に形成されるとともに、当該アーム部に前記係止爪が形成されたことを特徴とする。
【発明の効果】
【００１３】
請求項１の発明によれば、本体部材と接続部材とが接続された状態で係止して接続状態をロックし得るロック部を具備したので、接続部材の本体部材に対する接続状態を確実に維持することができ、液漏れを確実に防止することができる。
【００１４】
請求項２の発明によれば、本体部材は、液体を流通させるためのホースを接続し得る接続部が形成されるとともに、液体中の異物を捕捉し得るフィルタ部材が内部に配設されたので、本体部材の接続部に接続されたホースと接続部材の接続部に接続されたホースとの間で液体を流通させる過程において、フィルタ部材で液体中の異物を捕捉することができるとともに、液漏れを確実に防止することができる。
【００１５】
請求項３の発明によれば、接続部材は、接続部が形成された継ぎ手部材と、本体部材に対して継ぎ手部材を接続可能な螺合部材とを有して構成されるとともに、本体部材及び螺合部材には、互いに噛み合って螺合可能なネジ部がそれぞれ形成され、当該螺合部材が継ぎ手部材に取り付けられつつ当該本体部材と螺合することで、シール部材を介在させて本体部材と接続部材とが接続可能とされ、且つ、ロック部は、本体部材及び螺合部材に形成されたので、螺合部材による螺合によって、本体部材と接続部材との接続及び接続状態のロックを行わせることができる。
【００１６】
請求項４の発明によれば、ロック部は、本体部材及び螺合部材にそれぞれ形成された係止爪及び被係止部で構成されるとともに、本体部材に接続部材が螺合された状態で当該係止爪が被係止部に係止し、当該本体部材に対して螺合部材が緩む方向の回転を規制し得るので、簡単な構成で且つ確実に、接続部材の本体部材に対する接続状態を維持することができる。
【００１７】
請求項５の発明によれば、前記本体部材の開口端部に前記接続部材を取り付けつつ所定方向に回転させることで抜け止めが行われて当該本体部材と接続部材との接続が行われるものとされ、且つ、ロック部は、本体部材及び接続部材にそれぞれ形成された係止爪及び被係止部で構成されるとともに、接続部材を本体部材に対して所定方向に回転させて接続させる過程で、当該被係止部に係止爪が係止して当該本体部材と接続部材との接続状態のロックが行われるので、接続のための作業とロックのための作業とを同時に行わせることができるとともに、接続部材の本体部材に対する接続状態を確実に維持することができる。
【００１８】
請求項６の発明によれば、本体部材の所定部位には凸部が形成されるとともに、接続部材の所定部位には当該本体部材に対して回転することで凸部を嵌合し得る嵌合溝が形成され、当該嵌合溝に凸部が嵌合して抜け止めが行われることによって本体部材と接続部材とが接続されるよう構成され、且つ、前記嵌合溝は、前記接続部材の周方向に延びて形成されたアーム部の縁面に形成されるとともに、当該アーム部に前記係止爪が形成されたので、簡単な構成で且つ確実に、接続部材の本体部材に対する接続状態を維持することができるとともに、アーム部が撓んで係止爪を被係止部に対してより良好に係止させることができる。
【図面の簡単な説明】
【００１９】
【図１】本発明の第１の実施形態に係る接続具を示す正面図
【図２】同接続具を示す斜視図
【図３】同接続具を示す分解斜視図
【図４】同接続具における本体部材を示す正面図
【図５】同本体部材を示す側面図
【図６】同接続具における継ぎ手部材を示す正面図
【図７】同接続具における螺合部材を示す正面図及び側面図
【図８】同接続具を示す縦断面図
【図９】同接続具におけるロック部を構成する係止爪を示す拡大図
【図１０】同接続具におけるロック部を構成する被係止部を示す拡大図
【図１１】本発明の第２の実施形態に係る接続具を示す正面図
【図１２】同接続具を示す側面図
【図１３】同接続具を示す分解斜視図
【図１４】同接続具における本体部材を示す正面図及び側面図
【図１５】同接続具における取付部材を示す正面図及び側面図
【図１６】同接続具を示す縦断面図
【図１７】同接続具における本体部材に取付部材を取り付けた状態（ロック前の状態）示す正面図
【図１８】同接続具における本体部材に取付部材を取り付けた状態（ロック前の状態）示す側面図
【図１９】本発明の第３の実施形態に係る接続具を示す正面図
【図２０】同接続具を示す側面図
【図２１】同接続具を示す分解斜視図
【図２２】同接続具における本体部材を示す正面図及び側面図
【図２３】同接続具における接続部材を示す正面図及び側面図
【図２４】同接続具を示す縦断面図
【図２５】同接続具における本体部材に接続部材を取り付けた状態（ロック前の状態）示す正面図
【図２６】同接続具における本体部材に接続部材を取り付けた状態（ロック前の状態）示す側面図
【図２７】本発明の他の実施形態に係る接続具が適用される往復動ポンプを示す模式図
【図２８】同他の実施形態に係る接続具を示す拡大図
【発明を実施するための形態】
【００２０】
以下、本発明の実施形態について図面を参照しながら具体的に説明する。
第１の実施形態に係る接続具は、例えば血液透析治療で用いられる透析装置本体に接続されるホース（可撓性チューブ）の途中に形成され、当該透析装置本体に供給される液体としての透析液及び当該透析装置本体に血液浄化器（ダイアライザ）から導出される透析液を流通させるとともに、その透析液中の異物を捕捉し得るものであり、図１〜１０に示すように、本体部材１と、継ぎ手部材２及び螺合部材３を有する接続部材Ａと、シール部材４と、フィルタ部材５とから主に構成されている。
【００２１】
本体部材１は、透析液を流通させるためのホースＴ１（図１参照）を接続し得る接続部１ａが一端部に形成されるとともに、その反対側の端部（継ぎ手部材２が接続される端部側）にオネジ部１ｂ（図４参照）が形成された樹脂製部材から成り、一端側と他端側との間で透析液を流通させ得るべく中空状に形成されている。また、本体部材１の内部には、流通する透析液中の異物を捕捉し得るフィルタ部５ａを有したフィルタ部材５が取り付けられている。
【００２２】
接続部材Ａは、本体部材１に接続可能とされるとともに、透析液を流通させるためのホースＴ２（図１参照）を接続し得る接続部２ａが形成されたもので、本実施形態においては、継ぎ手部材２と螺合部材３とを有して構成されている。このうち継ぎ手部材２は、透析液を流通させるためのホースＴ２（図１参照）を接続し得る接続部２ａが形成されるとともに、図６に示すように、本体部材１が接続される部位にフランジ部ｆが一体形成されている。かかるフランジ部ｆには、当該継ぎ手部材２及び本体部材１が接続された状態で、本体部材１の開口端部ａ（図４参照）と接触する円環状の接触面ｂが形成されている。
【００２３】
さらに、継ぎ手部材２は、図６に示すように、本体部材１との接続側に取付面ｄを有しており、本体部材１及び継ぎ手部材２が接続された状態で、当該取付面ｄにフィルタ部材５の基端部５ｂが当接し得るようになっている。
【００２４】
シール部材４は、本体部材１と継ぎ手部材２との間に配設されてシール可能な部材から成り、本実施形態においては、Ｏリングにて構成されている。具体的には、シール部材４は、図８に示すように、本体部材１に継ぎ手部材２が接続された状態で、本体部材１と継ぎ手部材２との間に介在してシール可能とされている。
【００２５】
螺合部材３は、図７に示すように、中央に開口部３ｂを有した略ナット形状の樹脂製部材から成り、本体部材１のオネジ部１ｂと噛み合って螺合可能なメネジ部３ａが内周壁部に形成されるとともに、継ぎ手部材２に取り付けられつつ当該本体部材１と螺合することで、シール部材４を介在させて本体部材１と継ぎ手部材２とを接続可能なものである。すなわち、本体部材１に継ぎ手部材２を組み付けた状態において、その継ぎ手部材２の接続部２ａ側に対して開口部３ｂを挿通させつつメネジ部３ａをオネジ部１ｂに噛み合わせて螺合させることで、継ぎ手部材２が本体部材１に対して軸方向（図８中右方向）に押圧されるので、押圧面ｃがシール部材４を押圧しつつフランジ部ｆが本体部材１における開口端部ａに突き当てられて接続されるのである。
【００２６】
なお、オネジ部１ｂ及びメネジ部３ａから成るネジ部は、ネジの勾配角度を緩くする、或いは２条ネジではなく１条ネジとする等、緩み難いものとするのが好ましい。また、本実施形態においては、螺合部材３が略ナット形状に形成されているが、他の形状のものとしてもよく、その場合、螺合部材にオネジ部を形成し、そのオネジ部に噛み合うメネジ部を本体部材１に形成するようにしてもよい。
【００２７】
ここで、本実施形態に係る本体部材１及び螺合部材３には、本体部材１と接続部材Ａ（継ぎ手部材２及び螺合部材３）とが接続された状態で係止して接続状態をロックし得るロック部を具備している。具体的には、本実施形態に係るロック部は、本体部材１に突出形成された係止爪６ａと、螺合部材３の内周壁面に形成された被係止部６ｂとから構成されており、本体部材１に接続部材Ａの螺合部材３が螺合された状態で当該係止爪６ａが被係止部６ｂに係止し、当該本体部材１に対して螺合部材３が緩む方向の回転を規制し得るようになっている。
【００２８】
すなわち、係止爪６ａは、図９に示すように、本体部材１における螺合部材３が取り付けられる位置に向かって延設された腕部６ａａの突端に形成されているとともに、被係止部６ｂは、図１０に示すように、螺合部材３の内周壁面における周方向に連続して形成された凹形状部から成り、螺合部材３が本体部材１に対して螺合して本体部材１と接続部材Ａとが接続された状態となると、係止爪６ａが被係止部６ｂに嵌まり込んで回転方向に係止して接続状態をロックし得るよう構成されているのである。なお、係止爪６ａが被係止部６ｂに係止される過程において、腕部６ａａが撓むこととなるので、係止爪６ａの被係止部６ｂに対する係止をより良好に行わせることができる。
【００２９】
上記実施形態によれば、本体部材１と接続部材Ａとが接続された状態で係止して接続状態をロックし得るロック部（係止爪６ａ及び被係止部６ｂ）を具備したので、接続部材Ａの本体部材１に対する接続状態を確実に維持することができ、液漏れを確実に防止することができる。また、本実施形態に係る本体部材１は、液体（透析液）を流通させるためのホースＴ１を接続し得る接続部１ａが形成されるとともに、液体中の異物を捕捉し得るフィルタ部材５が内部に配設されたので、本体部材１の接続部１ａに接続されたホースＴ１と接続部材Ａ（本実施形態においては継ぎ手部材２）の接続部２ａに接続されたホースＴ２との間で液体（透析液）を流通させる過程において、フィルタ部材５で液体中の異物を捕捉することができるとともに、液漏れを確実に防止することができる。
【００３０】
さらに、本実施形態に係る接続部材Ａは、接続部２ａが形成された継ぎ手部材２と、本体部材１に対して継ぎ手部材２を接続可能な螺合部材３とを有して構成されるとともに、本体部材１及び螺合部材３には、互いに噛み合って螺合可能なネジ部（１ｂ、３ａ）がそれぞれ形成され、当該螺合部材３が継ぎ手部材２に取り付けられつつ当該本体部材１と螺合することで、シール部材４を介在させて本体部材１と接続部材Ａとが接続可能とされ、且つ、ロック部は、本体部材１及び螺合部材３に形成されたので、螺合部材３による螺合によって、本体部材１と接続部材Ａとの接続及び接続状態のロックを行わせることができる。
【００３１】
またさらに、本実施形態に係るロック部は、本体部材１及び螺合部材３にそれぞれ形成された係止爪６ａ及び被係止部６ｂで構成されるとともに、本体部材１に接続部材Ａが螺合された状態で当該係止爪６ａが被係止部６ｂに係止し、当該本体部材１に対して螺合部材３が緩む方向の回転を規制し得るので、簡単な構成で且つ確実に、接続部材Ａの本体部材１に対する接続状態を維持することができる。なお、本実施形態においては、本体部材１に係止爪６ａが形成されるとともに螺合部材３に被係止部６ｂが形成されているが、本体部材１に被係止部６ｂを形成するとともに螺合部材３に係止爪６ａを形成するようにしてもよい。
【００３２】
次に、本発明に係る第２の実施形態について説明する。
本実施形態に係る接続具は、第１の実施形態と同様、例えば血液透析治療で用いられる透析装置本体に接続されるホース（可撓性チューブ）の途中に形成され、当該透析装置本体に供給される液体としての透析液及び当該透析装置本体に血液浄化器（ダイアライザ）から導出される透析液を流通させるとともに、その透析液中の異物を捕捉し得るものであり、図１１〜１８に示すように、本体部材７と、継ぎ手部材２及び取付部材８を有する接続部材Ｂと、シール部材４と、フィルタ部材５とから主に構成されている。なお、第１の実施形態と同様の構成部品には、同一の符号を付し、それらの詳細な説明を省略することとする。
【００３３】
本体部材７は、透析液を流通させるためのホースＴ１（図１１参照）を接続し得る接続部７ａが一端部に形成されるとともに、その反対側の開口端部ａに接続部材Ｂが接続される樹脂製部材から成り、一端側と他端側との間で透析液を流通させ得るべく中空状に形成されている。また、本体部材７の内部には、図１６に示すように、流通する透析液中の異物を捕捉し得るフィルタ部５ａを有したフィルタ部材５が取り付けられている。
【００３４】
接続部材Ｂは、本体部材７に接続可能とされるとともに、透析液を流通させるためのホースＴ２（図１１参照）を接続し得る接続部２ａが形成されたもので、本実施形態においては、継ぎ手部材２と取付部材８とを有して構成されている。このうち継ぎ手部材２は、第１の実施形態と同様、透析液を流通させるためのホースＴ２（図１１参照）を接続し得る接続部２ａが形成されている。
【００３５】
取付部材８は、図１５に示すように、中央に開口部８ａを有するとともに、側壁に複数（本実施形態においては周方向に３つ）のアーム部Ｃ１が形成された略ナット形状の樹脂製部材から成り、本体部材７の開口端部ａ（図１４参照）（継ぎ手部材２との接続端部）に取付部材８を取り付けつつ所定方向に回転させることで抜け止めが行われることによって、シール部材４を介在させて本体部材７と接続部材Ｂとを接続可能なものである。アーム部Ｃ１は、取付部材８の外周壁面において周方向に延びて形成された部位から成るもので、そのアーム部Ｃ１の縁面には、嵌合溝Ｃ２が形成されている（言い換えるならば、アーム部Ｃ１によって嵌合溝Ｃ２が形成されている）。
【００３６】
また、取付部材８におけるアーム部Ｃ１の突端側には、後述する凸部９ｃを通過させ得る隙間部Ｃ３が形成されており、当該隙間部Ｃ３と連続して嵌合溝Ｃ２が形成されている。具体的には、隙間部Ｃ３は、取付部材８の軸方向（回転軸方向）に所定寸法だけ延びて形成されるとともに、当該隙間部Ｃ３から取付部材８の周方向に向かって嵌合溝Ｃ２が形成されており、後述する凸部９ｃは、隙間部Ｃ３を通過した後、嵌合溝Ｃ２に嵌合され得るようになっている。
【００３７】
一方、図１４に示すように、本体部材７の所定部位（取付部材８の取り付け位置であって嵌合溝Ｃ２に対応する位置）には凸部９ｃが形成されており、本体部材７に対して接続部材Ｂの取付部材８を回転させることで、図１１、１２に示すように、嵌合溝Ｃ２に凸部９ｃが嵌合し、当該本体部材７に対する接続部材Ｂの抜け止めが行われて当該本体部材７と接続部材Ｂとの接続が可能とされている。
【００３８】
すなわち、本体部材７に接続部材Ｂを接続するには、接続部材Ｂを構成する継ぎ手部材２の接続部２ａを取付部材８の開口部８ａに挿通させて組み付けた後、当該取付部材８の隙間部Ｃ３に本体部材７の凸部９ｃが通過するよう取付部材８を軸方向に移動させる（図１７、１８参照）。そして、本体部材７に対して取付部材８を所定方向（図１７、１８中の矢印で示す方向）に回転させることにより、図１１、１２に示すように、嵌合溝Ｃ２に凸部９ｃを嵌合させて本体部材７に対する接続部材Ｂ（継ぎ手部材２及び取付部材８）の抜け止めを行うことで接続が完了する。
【００３９】
ここで、本実施形態においては、本体部材７と接続部材Ｂとが接続された状態で係止して接続状態をロックし得るロック部を具備している。本実施形態に係るロック部は、本体部材７に形成された被係止部９ｂ及び接続部材Ｂに形成された係止爪９ａで構成されるとともに、接続部材Ｂを本体部材７に対して所定方向に回転させて接続させる過程で、当該被係止部９ｂに係止爪９ａが係止して当該本体部材７と接続部材Ｂとの接続状態のロックが行われるよう構成されている。
【００４０】
より具体的には、係止爪９ａは、取付部材８におけるアーム部Ｃ１の突端側に形成されているともに、被係止部９ｂは、本体部材７における凸部９ｃから軸方向に対して線条に形成された突出部から成るものとされており、図１７、１８の状態から接続部材Ｂを本体部材７に対して所定方向（同図中の矢印で示す方向）に回転させて接続させる過程において、係止爪９ａが被係止部９ｂを乗り上げた後、回転方向（取付部材８が本体部材７に対して緩む方向の回転）に対して係止し得るようになっている。
【００４１】
これにより、凸部９ｃが嵌合溝Ｃ２に嵌合することで、抜け止めが行われて当該本体部材７と接続部材Ｂとが接続されるとともに、係止爪９ａが被係止部９ｂに係止することで、本体部材７と接続部材Ｂとの接続がロックされることとなる。また、本実施形態に係る係止爪９ａは、アーム部Ｃ１の突端側に形成されているため、係止爪９ａが被係止部９ｂを乗り上げる際、アーム部Ｃ１が撓むことによって良好な係止が行われるよう構成されている。なお、本実施形態においては、本体部材７に被係止部９ｂが形成されるとともに接続部材Ｂ（取付部材８）に係止爪９ａが形成されているが、本体部材７に係止爪９ａが形成されるとともに接続部材Ｂ（取付部材８）に被係止部９ｂが形成されたものとしてもよい。
【００４２】
上記実施形態によれば、本体部材７と接続部材Ｂとが接続された状態で係止して接続状態をロックし得るロック部（係止爪９ａ及び被係止部９ｂ）を具備したので、接続部材Ｂの本体部材７に対する接続状態を確実に維持することができ、液漏れを確実に防止することができる。また、本実施形態に係る本体部材７は、液体（透析液）を流通させるためのホースＴ１を接続し得る接続部７ａが形成されるとともに、液体中の異物を捕捉し得るフィルタ部材５が内部に配設されたので、本体部材７の接続部７ａに接続されたホースＴ１と接続部材Ｂ（本実施形態においては継ぎ手部材２）の接続部２ａに接続されたホースＴ２との間で液体（透析液）を流通させる過程において、フィルタ部材５で液体中の異物を捕捉することができるとともに、液漏れを確実に防止することができる。
【００４３】
また、本実施形態によれば、本体部材７の開口端部ａに接続部材Ｂを取り付けつつ所定方向に回転させることで抜け止めが行われて当該本体部材７と接続部材Ｂとの接続が行われるものとされ、且つ、ロック部は、本体部材７及び接続部材Ｂ（本実施形態においては取付部材８）にそれぞれ形成された係止爪９ａ及び被係止部９ｂで構成されるとともに、接続部材Ｂを本体部材７に対して所定方向に回転させて接続させる過程で、当該被係止部９ｂに係止爪９ａが係止して当該本体部材７と接続部材Ｂとの接続状態のロックが行われるので、接続のための作業とロックのための作業とを同時に行わせることができるとともに、接続部材Ｂの本体部材７に対する接続状態を確実に維持することができる。
【００４４】
さらに、本実施形態によれば、本体部材７の所定部位には凸部９ｃが形成されるとともに、接続部材Ｂ（本実施形態においては取付部材８）の所定部位には当該本体部材７に対して回転することで凸部９ｃを嵌合し得る嵌合溝Ｃ２が形成され、当該嵌合溝Ｃ２に凸部９ｃが嵌合して抜け止めが行われることによって本体部材７と接続部材Ｂとが接続されるよう構成され、且つ、嵌合溝Ｃ２は、接続部材Ｂ（本実施形態においては取付部材８）の周方向に延びて形成されたアーム部Ｃ１の縁面に形成されるとともに、当該アーム部Ｃ１に係止爪９ａが形成されたので、簡単な構成で且つ確実に、接続部材Ｂの本体部材７に対する接続状態を維持することができるとともに、アーム部Ｃ１が撓んで係止爪９ａを被係止部９ｂに対してより良好に係止させることができる。
【００４５】
次に、本発明に係る第３の実施形態について説明する。
本実施形態に係る接続具は、第１、２の実施形態と同様、例えば血液透析治療で用いられる透析装置本体に接続されるホース（可撓性チューブ）の途中に形成され、当該透析装置本体に供給される液体としての透析液及び当該透析装置本体に血液浄化器（ダイアライザ）から導出される透析液を流通させるとともに、その透析液中の異物を捕捉し得るものであり、図１９〜２６に示すように、本体部材１０と、接続部材１１と、シール部材４と、フィルタ部材５とから主に構成されている。なお、第１、２の実施形態と同様の構成部品には、同一の符号を付し、それらの詳細な説明を省略することとする。
【００４６】
本体部材１０は、透析液を流通させるためのホースＴ１（図１９参照）を接続し得る接続部１０ａが一端部に形成されるとともに、その反対側の開口端部ａに接続部材１１が接続される樹脂製部材から成り、一端側と他端側との間で透析液を流通させ得るべく中空状に形成されている。また、本体部材１０の内部には、図２４に示すように、流通する透析液中の異物を捕捉し得るフィルタ部５ａを有したフィルタ部材５が取り付けられている。
【００４７】
接続部材１１は、本体部材１０に接続可能とされるとともに、透析液を流通させるためのホースＴ２（図１９参照）を接続し得る接続部１１ａが形成されたもので、本実施形態においては、図２３に示すように、第２の実施形態における継ぎ手部材２と取付部材８とが一体形成された如き形態とされている。本実施形態に係る接続部材１１は、図２３に示すように、側壁に複数（本実施形態においては周方向に２つ）のアーム部Ｃ１が形成された樹脂製部材から成り、本体部材１０の開口端部ａ（図２２参照）（接続部材１１との接続端部）に接続部材１１を取り付けつつ所定方向に回転させることで抜け止めが行われることによって、シール部材４を介在させて本体部材１０と接続部材１１とを接続可能なものである。アーム部Ｃ１は、接続部材１１の外周壁面において周方向に延びて形成された部位から成るもので、そのアーム部Ｃ１の縁面には、嵌合溝Ｃ２が形成されている（言い換えるならば、アーム部Ｃ１によって嵌合溝Ｃ２が形成されている）。
【００４８】
また、接続部材１１におけるアーム部Ｃ１の突端側には、後述する凸部１２ｃを通過させ得る隙間部Ｃ３が形成されており、当該隙間部Ｃ３と連続して嵌合溝Ｃ２が形成されている。具体的には、隙間部Ｃ３は、接続部材１１の軸方向（回転軸方向）に所定寸法だけ延びて形成されるとともに、当該隙間部Ｃ３から接続部材１１の周方向に向かって嵌合溝Ｃ２が形成されており、凸部１２ｃは、隙間部Ｃ３を通過した後、嵌合溝Ｃ２に嵌合され得るようになっている。
【００４９】
一方、図２２に示すように、本体部材１０の所定部位（接続部材１１の取り付け位置であって嵌合溝Ｃ２に対応する位置）には凸部１２ｃが形成されており、本体部材１０に対して接続部材１１を回転させることで、図１９、２０に示すように、嵌合溝Ｃ２に凸部１２ｃが嵌合し、当該本体部材１０に対する接続部材１１の抜け止めが行われて当該本体部材１０と接続部材１１との接続が可能とされている。
【００５０】
すなわち、本体部材１０に接続部材１１を接続するには、接続部材１１の隙間部Ｃ３に本体部材１０の凸部１２ｃが通過するよう当該接続部材１１を軸方向に移動させる（図２５、２６参照）。そして、本体部材１０に対して接続部材１１を所定方向（図２５、２６中の矢印で示す方向）に回転させることにより、図１９、２０に示すように、嵌合溝Ｃ２に凸部１２ｃを嵌合させて本体部材１０に対する接続部材１１の抜け止めを行うことで接続が完了する。
【００５１】
ここで、本実施形態においては、本体部材１０と接続部材１１とが接続された状態で係止して接続状態をロックし得るロック部を具備している。本実施形態に係るロック部は、本体部材１０に形成された被係止部１２ｂ及び接続部材１１に形成された係止爪１２ａで構成されるとともに、接続部材１１を本体部材１０に対して所定方向に回転させて接続させる過程で、当該被係止部１２ｂに係止爪１２ａが係止して当該本体部材１０と接続部材１１との接続状態のロックが行われるよう構成されている。
【００５２】
より具体的には、係止爪１２ａは、接続部材１１におけるアーム部Ｃ１の突端側に形成されているともに、被係止部１２ｂは、本体部材１０における凸部１２ｃから軸方向に対して線条に形成された突出部から成るものとされており、図２５、２６の状態から接続部材１１を本体部材１０に対して所定方向（同図中の矢印で示す方向）に回転させて接続させる過程において、係止爪１２ａが被係止部１２ｂを乗り上げた後、回転方向（接続部材１１が本体部材１０に対して緩む方向の回転）に対して係止し得るようになっている。
【００５３】
これにより、凸部１２ｃが嵌合溝Ｃ２に嵌合することで、抜け止めが行われて当該本体部材１０と接続部材１１とが接続されるとともに、係止爪１２ａが被係止部１２ｂに係止することで、本体部材１０と接続部材１１との接続がロックされることとなる。また、本実施形態に係る係止爪１２ａは、アーム部Ｃ１の突端側に形成されているため、係止爪１２ａが被係止部１２ｂを乗り上げる際、アーム部Ｃ１が撓むことによって良好な係止が行われるよう構成されている。なお、本実施形態においては、本体部材１０に被係止部１２ｂが形成されるとともに接続部材１１に係止爪１２ａが形成されているが、本体部材１０に係止爪１２ａが形成されるとともに接続部材１１に被係止部１２ｂが形成されたものとしてもよい。
【００５４】
上記実施形態によれば、本体部材１０と接続部材１１とが接続された状態で係止して接続状態をロックし得るロック部（係止爪１２ａ及び被係止部１２ｂ）を具備したので、接続部材１１の本体部材１０に対する接続状態を確実に維持することができ、液漏れを確実に防止することができる。また、本実施形態に係る本体部材１０は、液体（透析液）を流通させるためのホースＴ１を接続し得る接続部１０ａが形成されるとともに、液体中の異物を捕捉し得るフィルタ部材５が内部に配設されたので、本体部材１０の接続部１０ａに接続されたホースＴ１と接続部材１１の接続部１１ａに接続されたホースＴ２との間で液体（透析液）を流通させる過程において、フィルタ部材５で液体中の異物を捕捉することができるとともに、液漏れを確実に防止することができる。
【００５５】
また、本実施形態によれば、本体部材１０の開口端部ａに接続部材１１を取り付けつつ所定方向に回転させることで抜け止めが行われて当該本体部材１０と接続部材１１との接続が行われるものとされ、且つ、ロック部は、本体部材１０及び接続部材１１にそれぞれ形成された係止爪１２ａ及び被係止部１２ｂで構成されるとともに、接続部材１１を本体部材１０に対して所定方向に回転させて接続させる過程で、当該被係止部１２ｂに係止爪１２ａが係止して当該本体部材１０と接続部材１１との接続状態のロックが行われるので、接続のための作業とロックのための作業とを同時に行わせることができるとともに、接続部材１１の本体部材１０に対する接続状態を確実に維持することができる。
【００５６】
さらに、本実施形態によれば、本体部材１０の所定部位には凸部１２ｃが形成されるとともに、接続部材１１の所定部位には当該本体部材１０に対して回転することで凸部１２ｃを嵌合し得る嵌合溝Ｃ２が形成され、当該嵌合溝Ｃ２に凸部１２ｃが嵌合して抜け止めが行われることによって本体部材１０と接続部材１１とが接続されるよう構成され、且つ、嵌合溝Ｃ２は、接続部材１１の周方向に延びて形成されたアーム部Ｃ１の縁面に形成されるとともに、当該アーム部Ｃ１に係止爪１２ａが形成されたので、簡単な構成で且つ確実に、接続部材１１の本体部材１０に対する接続状態を維持することができるとともに、アーム部Ｃ１が撓んで係止爪１２ａを被係止部１２ｂに対してより良好に係止させることができる。
【００５７】
以上、本実施形態について説明したが、本発明はこれに限定されず、液体を流通させ得る本体部材と、本体部材に接続可能とされるとともに、液体を流通させるためのホースを接続し得る接続部が形成された接続部材と、本体部材と接続部材との間に配設されてシール可能なシール部材と、本体部材と接続部材とが接続された状態で係止して接続状態をロックし得るロック部とを具備した接続具であれば、他の形態の接続具にも適用することができる。
【００５８】
例えば、図２７、２８に示すように、モータＭにてカム部材１３を動作させ、プランジャ１４（往復動部材）をポンプ室Ｐ内で往復動させることによりチャッキ弁Ｅを開閉動作させて液体（透析液等）を流通させ得る往復動ポンプ（定量ポンプ）に適用することができる。この場合、透析液を流通させ得る本体部材１５と、本体部材１５に接続可能とされるとともに、透析液を流通させるためのホースを接続し得る接続部１６ａが形成された接続部材（継ぎ手部材１６及び螺合部材１８）と、本体部材１５と接続部材（継ぎ手部材１６）との間に配設されてシール可能なシール部材１７と、本体部材１５と接続部材とが接続された状態で係止して接続状態をロックし得るロック部（係止爪１９ａ及び被係止部１９ｂ）とを備えた接続具とされる。なお、同接続具に代えて、上記第２、３の実施形態の如き接続具を往復動ポンプ（定量ポンプ）に取り付けた形態としてもよい。
【００５９】
またさらに、他の実施形態の如く本体部材内にフィルタ部材を具備しないものとしてもよく、他の機能を果たす部材（センサ等）が本体部材内に配設されたものであってもよい。なお、本実施形態においては、流通させる液体が透析液とされているが、他の液体を流通させるものであってもよい。
【産業上の利用可能性】
【００６０】
液体を流通させ得る本体部材と、本体部材に接続可能とされるとともに、液体を流通させるためのホースを接続し得る接続部が形成された接続部材と、本体部材と接続部材との間に配設されてシール可能なシール部材と、本体部材と接続部材とが接続された状態で係止して接続状態をロックし得るロック部とを具備した接続具であれば、外観形状が異なるもの或いは他の機能が付加されたもの等にも適用することができる。
【符号の説明】
【００６１】
１  本体部材
２  継ぎ手部材（接続部材）
３  螺合部材（接続部材）
４  シール部材
５  フィルタ部材
６ａ  係止爪（ロック部）
６ｂ  被係止部（ロック部）
７  本体部材
８  取付部材（接続部材）
９ａ  係止爪（ロック部）
９ｂ  被係止部（ロック部）
１０  本体部材
１１  接続部材
１２ａ  係止爪（ロック部）
１２ｂ  被係止部（ロック部）
Ａ、Ｂ  接続部材
Ｃ１  アーム部
Ｃ２  嵌合溝
【図１】
2015054092.tif 000003
【図２】
2015054092.tif 000004
【図３】
2015054092.tif 000005
【図４】
2015054092.tif 000006
【図５】
2015054092.tif 000007
【図６】
2015054092.tif 000008
【図７】
2015054092.tif 000009
【図８】
2015054092.tif 000010
【図９】
2015054092.tif 000011
【図１０】
2015054092.tif 000012
【図１１】
2015054092.tif 000013
【図１２】
2015054092.tif 000014
【図１３】
2015054092.tif 000015
【図１４】
2015054092.tif 000016
【図１５】
2015054092.tif 000017
【図１６】
2015054092.tif 000018
【図１７】
2015054092.tif 000019
【図１８】
2015054092.tif 000020
【図１９】
2015054092.tif 000021
【図２０】
2015054092.tif 000022
【図２１】
2015054092.tif 000023
【図２２】
2015054092.tif 000024
【図２３】
2015054092.tif 000025
【図２４】
2015054092.tif 000026
【図２５】
2015054092.tif 000027
【図２６】
2015054092.tif 000028
【図２７】
2015054092.tif 000029
【図２８】
2015054092.tif 000030